(57)【要約】【課題】光ディスク上の管理領域の情報を光学的に読み出せない場合においてもディスク上のデータの記録再生を可能とするディスク装置を提供すること。【解決手段】交換可能なディスク９に画像及び／又は音声の情報を光学的に記録し、またはディスク９から記録情報を光学的に再生するディスク装置において、ディスク９に情報を記録するのに必要な管理情報は、ディスクの所定位置に設けられた管理領域に光学的に記録され、さらに、ディスクの適宜位置に配置された記憶手段３１にも電磁気的に記録されること。ディスク上の管理領域の情報と同一の内容を記憶手段３１にも適宜記録し、この内容を読み出せること。【選択図】図２
2005332469.tif 000002
【特許請求の範囲】
【請求項１】
交換可能なディスク状記録媒体に画像及び／又は音声の情報を光学的に記録し、または前記ディスク状記録媒体から記録情報を光学的に再生するディスク装置において、
前記ディスク状記録媒体に前記情報を記録するのに必要な管理情報は、前記ディスク状記録媒体の所定位置に設けられた管理領域に光学的に記録され、さらに、前記ディスク状記録媒体の適宜位置に配置された記憶手段にも電磁気的に記録される
ことを特徴としたディスク装置。
【請求項２】
請求項１において、
前記記憶手段は、非接触で前記管理情報を記録、書き換えまたは読み出し可能な集積回路素子であることを特徴とするディスク装置。
【請求項３】
請求項１または２において、
前記管理情報は、前記ディスク状記録媒体上の記録位置を管理するアドレス管理情報であることを特徴とするディスク装置。
【請求項４】
請求項１または２において、
前記管理情報は、ＤＶＤ−ＲＡＭディスクにおけるＤＭＡ（Defect Management Area）情報、またはＤＶＤ−ＲディスクにおけるＲＭＡ（Recording Management Area）情報であることを特徴とするディスク装置。
【請求項５】
請求項１ないし４のいずれか１つの請求項において、
前記記憶手段への前記管理情報の記録は、前記ディスク状記録媒体の取り出しの直前またはディスク装置の電源オフの直前のタイミングで行う
ことを特徴とするディスク装置。
【発明の詳細な説明】
【技術分野】
【０００１】
本発明は、光ディスクなどのディスク状記録媒体を用いるディスク装置およびその制御方法に係り、特に、集積回路素子を組み込んだディスク状記録媒体を用いて動画及び音声などの情報を書き換え記録するディスク装置およびその制御方法に関する。
【背景技術】
【０００２】
記録型の光ディスクは大量の情報を記録でき、かつ媒体互換が可能な特徴を備えている。情報の再生はレーザ光を情報記録面に集光し、記録マークによって変調された反射光を検出して行う。情報の記録は再生光よりも大きなパワーのビームを情報記録面に照射することによって記録マークを熱的に形成して行う。
【０００３】
記録型の光ディスクは、ハードディスクのような磁気情報記録装置と違って、情報記録装置に頻繁に出し入れされ、また、記録容量も磁気情報記録装置に比べて小さいことからユーザは複数枚所有することになるため、各ディスクに何が記録されているかをユーザが詳しく覚えていることは困難である。各種光ディスクのうち、記録領域が片面だけの光ディスクの場合には残りの面をラベル領域として利用することにより記録内容を記すことも可能であるが、ラベル領域への書き込み量が限られている。
【０００４】
このため、例えば、特許文献１に示されるように、ディスクの特定領域にＩＣ付き貼り付けシートを搭載し、ユーザがディスクにどのような情報を記録したかの内容をＩＣに記録しておくことにより、この内容を簡単に確認できるディスク装置がある。また、特許文献２に記載されているように、ディスクを形成するプラスチック張り合わせ面にＩＣチップを搭載するなどにより、ディスクに記録されているゲームソフトなどの使用回数制限などを行うための管理情報をＩＣチップに記録できる記録再生装置が提案されている。
【特許文献１】特開２０００−２８５６５８
【特許文献２】特開２０００−１３２８７１
【発明の開示】
【発明が解決しようとする課題】
【０００５】
上記の特許文献１または特許文献２に示される技術では、ディスクに搭載されているＩＣチップに記録されるのは、ディスクに記録されている音声や映像などのコンテンツに対する概要リストであったり、コンテンツに対する使用制限であって、コンテンツそのもののデータの良・不良を特に管理する内容ではない。したがって、ＩＣチップに記録されている情報を正常に読み取れることと、ディスクに記録されているコンテンツを正常に再生または書き換えができることとは直接の関連性は無く、また、ＩＣチップ内の情報を読み取るのにディスク自体の回転も必要ないものである。
【０００６】
ＤＶＤ−ＲＡＭディスクのような書き換え可能な光ディスクに対して、ディスク装置はデータを光ディスクに記録したり書き換えたりする際に、光ディスク上の或る領域に記録してある管理領域を参照して、光ディスク上のどこに欠陥があるかを把握した後にデータを書き込んでいる。また、光ディスク上に記録されているデータを読み出したり、記録したり、あるいは書き換えたりしているときに光ディスク上の記録可能領域に欠陥を見つけたときには、管理領域の情報を更新して欠陥領域の位置を記録することによって、それ以後、ディスク装置がその光ディスク上の新たな欠陥領域の位置やその代替領域の位置を把握できるようにしている。
【０００７】
この管理領域をディスク装置が光ディスク上の傷や汚れなどにより読み出せない場合には、光ディスク上に読み出したい映像や音声などのデータが正常に記録されていても、ディスク装置は読み出すことができないし、新たにデータを書き込んだりすることも不可能になる。
【０００８】
上記の特許文献１や特許文献２に開示されている技術内容では、ＩＣチップに記録されているのは、ユーザがディスクに記録したデータの内容やゲームソフトなどの使用回数制限などの情報であるため、ディスク上の管理領域の情報を読み出せなければ、光ディスク上に読み出したい映像や音声などのデータが正常に記録されていても、ディスク装置は読み出すことができないし、新たにデータを書き込んだりすることも不可能になるという課題があった。
【０００９】
本発明の目的は、ディスク上の管理領域の情報を読み出せない場合においても、光ディスク上に書き込まれた映像や音声などのデータを読み出したり、また、データを追記あるいは書き換えたりすることが可能なディスク装置を提供することにある。
【課題を解決するための手段】
【００１０】
前記課題を解決するために、本発明は主として次のような構成を採用する。  
交換可能なディスク状記録媒体に画像及び／又は音声の情報を光学的に記録し、または前記ディスク状記録媒体から記録情報を光学的に再生するディスク装置において、
前記ディスク状記録媒体に前記情報を記録するのに必要な管理情報は、前記ディスク状記録媒体の所定位置に設けられた管理領域に光学的に記録され、さらに、前記ディスク状記録媒体の適宜位置に配置された記憶手段にも電磁気的に記録される構成とする。
【００１１】
また、前記ディスク装置において、前記記憶手段は、非接触で前記管理情報を記録、書き換えまたは読み出し可能な集積回路素子である構成とする。
【発明の効果】
【００１２】
本発明によれば、ディスク装置がディスクに搭載された集積回路素子に、ディスク上の管理領域に記録されている情報と同一の内容を記録し、また、例えばディスク上にある管理領域の情報の更新に合わせて、その情報を書き換えることにより、傷や汚れなどでディスク上の管理領域から情報を読み出せなくなった場合にも、集積回路素子に記録されている情報をもとに、ディスクに記録されている映像や音声などのデータを読み出したり、書き換えたりする処理をすることができる。
【発明を実施するための最良の形態】
【００１３】
本発明のディスク装置に係る実施の形態について、実施例を挙げて図面を参照しながら以下詳細に説明する。図１は画像及び／又は音声等の情報を光学的に記録し又は再生するディスク装置における一般的な全体システムを示すブロック図である。図２は本発明のディスク装置に係る実施例の構成を示すブロック図である。
【００１４】
まず、一般的なディスク装置の全体システムを図１を参照しながら説明する。図１において、撮影手段１は、撮影光学系２とＣＣＤ（撮像素子）３とＡ／Ｄ変換器４などからなり、被写体像を撮影光学系２によってＣＣＤ３上に結像させ、ＣＣＤ３により画像信号を得て、Ａ／Ｄ変換器４によってデジタル化して出力する。画像信号処理手段５は、撮影手段１からの画像信号を画像データに変換処理するものであり、音声情報信号入力手段であるマイクロフォン１４からの音声情報信号をも処理する。また、再生時には、画像信号処理手段５は、後述する記録再生信号処理手段６からの画像データを、表示出力用の画像情報信号に変換処理し、さらに、後述する記録再生信号処理手段６からの音声データを音声出力用の音声情報信号に変換処理する。
【００１５】
ビデオカメラの場合、画像データ、音声データは連続的に画像信号処理手段５で処理が行われており、画質、音質は、画像信号処理手段５の処理能力で決められ、その処理能力により画像信号処理手段５から後述の記録再生信号処理手段６に送られるデータの転送速度が決まる。
【００１６】
記録再生信号処理手段６は、画像信号処理手段５からの画像データ（音声データを含む）を、ディスク状記録媒体９へ記録するための記録フォーマットにしたがった記録データに変換するため、あるいは、ディスク状記録媒体９から再生された記録データを画像データ（音声データを含む）に変換処理するため、エンコード／デコード処理、変調／復調処理、ＥＣＣ付加／誤り訂正処理などの処理を行う。ディスク状記録媒体９への記録あるいは再生の転送速度は、上記記録再生信号処理手段６の処理能力、記録再生手段８の処理能力、ディスクの回転速度等により決まる。
【００１７】
メモリ７は、画像信号処理手段５からの画像データ（音声データを含む）を一時記憶するものである。メモリ７は、画像信号処理手段５から転送される画像データ或いは音声データの転送速度が、ディスク状記録媒体９に記録を行う速度より速い場合に蓄積されている。従って、ディスク状記録媒体９への記録は、前記メモリへの蓄積量がメモリ容量以上にならないうちに記録する必要がある。
【００１８】
また、図１において、８は記録再生手段、９は図示しないスピンドルモータによって回転駆動されるディスク状記録媒体（光ディスク）、１０はレーザ光源（レーザダイオード）や光学系、光検出器等よりなる光学ヘッドである。ここで、記録再生手段８は、光学ヘッド１０によって、メモリ７に記憶された記録データを記録再生信号処理手段６を通して光ディスク９へ記録し、また、光学ヘッド１０によって、光ディスク９から再生された記録データを記録再生信号処理手段６を通してメモリ７に一時記憶させるものであり、電気信号系と光学系とを結びつける機能を備えている。
【００１９】
光記録に必要なサーボ制御機構１１は、例えば、光学ヘッド１０のアクチェータ（図示せず）を制御するフォーカス制御やトラッキング制御、スピンドルモータ（図示せず）を制御するディスクの回転制御、アドレス位置を制御するシーク制御等を行う。１５はＬＣＤ（液晶ディスプレイ）等よりなる画像表示手段である。再生時には、光学ヘッド１０で読み取られた光ディスク９上のデータ（レーザ光で照射された光ディスクからの反射光を反射光量差として光学ヘッド１０の光検出器で読み取ったデータ）が、記録再生手段８を経て、再生された記録データとしてメモリ７に一旦蓄積された後、記録再生信号処理手段６で元の画像データに変換され、画像信号処理手段５を経て、画像表示手段１５に表示される。また、システム制御手段１２は、ディスク装置全体の統括制御を司る制御マイコンよりなり、このシステム制御手段１２によって、上述した装置の各部の制御や全体の統括管理を行う。
【００２０】
ところで、上述した一般的なディスク装置では、書き換えが可能な光ディスク、例えば、ＤＶＤ−ＲＡＭディスクがディスク装置に格納されている場合、光ディスクに動画や音声などのデータを記録しながら、そのデータを光ディスク上のどこに記録したかを示すアドレスも管理している。そのアドレス（論理アドレス）がディスク上の物理的な位置（物理アドレス）にどのように対応しているかは、ディスクの内周や外周に特別に設けられた管理領域に情報として記録されている。ＤＶＤ−ＲＡＭディスクにおいては、Defect Management Area（以下、ＤＭＡと称する）という管理領域がその用途に供される。
【００２１】
ここで、書き換え可能な光ディスクの記録領域に欠陥等があってその領域に記録できない場合には、その領域の代わりに代替領域（以下、交替領域と称する）が用意され、欠陥領域のアドレスと交替領域のアドレスとの関係を示す情報（以下、ＤＭＡ情報と称する）も上記管理領域に記録されている。すなわち、データを記録するために確保されたディスク領域上の一部に欠陥などがあって、そこにデータを記録できない場合には、ＤＭＡに記されている情報をもとに、交替領域のアドレスをディスク装置が得て、本来欠陥領域に記録する予定であったデータを交替領域に記録する。
【００２２】
このような方法では、光ディスクのＤＭＡが傷や汚れなどにより情報を読み出せない状態になったときに、光ディスクに新たに映像や音声などのユーザデータを記録することができなくなるという事態が生じ得た。さらに、この場合には、既に光ディスクに記録されているユーザデータを読み出すことや書き換えることも不可能となる。光ディスクは一般にディスク装置から頻繁に出し入れし、また持ち歩くことも多いため、光ディスク自体が汚れたり、光ディスクに傷が付いたりする機会が非常に多い。近年、光ディスクの記録容量は飛躍的に増加しており、そこに記録しておいた大容量のデータについて、ＤＭＡの読み出し不可により再生あるいは書き換えなどができなくなった場合には、ユーザはそのデータの利用をあきらめなければならず、データの容量自体も大きいためユーザの被る損失は大きかった。
【００２３】
図２に示す本発明のディスク装置に係る実施例は、ディスクにデータを記録するのに必要な管理情報について、上述した一般的なディスク装置（図１に図示された構成例）に改善を加えたものであり、図１と同じ番号を付したものは同一の機能を果たすものである。本実施例のディスク装置は、記録再生処理手段６、メモリ７、システム制御手段１２、記録再生手段８、サーボ１１、光学ヘッド１０、集積回路素子３１を有するディスク状記録媒体９、通信手段３０、を備えている。また、このディスク装置は外部の入出力装置と接続する接続部を有している。
【００２４】
図２において、図１と異なる点は、集積回路素子３１とこの集積回路素子３１と信号授受を行う通信手段３０を設けていることである。通信手段３０は、ディスク装置に搭載されたディスク９のディスク面上またはディスク内部に設けられた集積回路素子３１と非接触にＤＭＡ情報をやりとりし、集積回路素子３１に情報を記録したり、集積回路素子３１に記録してあるＤＭＡ情報を読み出したりするものである。
【００２５】
ＤＭＡ情報を通信手段３０と集積回路素子３１の間でやりとりするときに、ディスク９は、ＤＭＡ情報をやりとりできる限りは回転していてもよいし、あるいは止まっていてもよい。集積回路素子３１は、ＤＭＡ情報を保持することが可能であり、通信手段３０と電磁気的にＤＭＡ情報をやりとりし、かつ保持内容の書き換えが可能なように設定する。例えば、独自に通信手段を持つＩＣチップのようなものを集積回路素子３１の構成要素の一つとすればよい。集積回路素子３１のディスク９における位置は、ディスク９自体の記録領域にデータを記録する妨げにならない位置であればよい。
【００２６】
一例として、ディスク９が貼り合わせによる両面ディスクであれば、張り合わせ面に埋め込むようにディスク内部に集積回路素子３１を挟んでもよいし、ディスク内周側の周縁部に貼り付けることも可能である。ただし、通信手段３０によって情報を読み出したり書き換えたりするため、ディスク装置の構造により、集積回路素子３１の設置位置も制約を受けることもある。ディスク９が片面ディスクである場合には、光入射面とは反対側の基板に集積回路素子３１を埋め込んでもよいし、ラベルが印刷されている面に集積回路素子３１を貼り付けるようにしてもよい。一つのディスク装置で両面ディスクも片面ディスクも扱えるようにする場合には、ディスク面内での集積回路素子３１の位置は同一にした方が、通信手段３０による集積回路素子３１への情報の読み書きがしやすいが、電磁的結合の強度を十分にとればディスク面内での集積回路素子３１の位置を統一する必要はない。
【００２７】
次に、本発明の実施例におけるＤＭＡ情報の利用方法の一例を説明する。ここでは、ディスクがＤＶＤ−ＲＡＭディスクである場合の方法を説明するが、その他の書き込み型光ディスクでも同様な方法を用いることは可能である。ＤＶＤ−ＲＡＭディスクのような大容量光ディスクの場合、ユーザ個人がディスクのフォーマットを行うと可成り時間がかかるので、ディスクメーカが製造の過程で物理フォーマットと論理フォーマットを行った上で出荷することが一般的である。もちろん、ユーザが個人的にディスクをフォーマットすることもありうる。光ディスクにおけるユーザデータの記録領域内に欠陥などがあって記録できない部分がある場合には、まずフォーマットの段階で発見され、その交替領域の位置に関する情報を、例えばＤＶＤ−ＲＡＭディスクならばＤＭＡという領域に記録する。
【００２８】
フォーマットの過程で発見された欠陥などにより交替領域が生じた場合、そのＤＭＡ情報をディスクのＤＭＡに書き込むときに、同一の内容を集積回路素子３１にも通信手段３０を通して記録する。ディスクメーカがディスク製造の過程でフォーマットする場合には、フォーマット後のＤＭＡ情報を記録するときに集積回路素子３１にも同一のＤＭＡ情報を記録するようにすればよい。あるいは、ディスク製造時にディスクメーカによってＤＭＡ情報が集積回路素子３１に記録されなくとも、本発明のディスク装置にディスクが搭載されたときには、ディスクのＤＭＡからＤＭＡ情報が正常に読み出せた後に、そのＤＭＡ情報を集積回路素子３１に記録するようにする。以上のようにディスク装置が対応することにより、ディスクフォーマット時に新たに生じる、あるいは更新が生じるＤＭＡ情報を、ディスク上のＤＭＡだけでなく集積回路素子３１にも保持できる。
【００２９】
次に、ディスクのユーザデータ領域に映像や音声などのデータを記録しているときに、これから記録しようとしていた領域の一部に欠陥などが見つかり、データを当該領域に記録できない場合、本発明によるディスク装置の動作について説明する。データ記録中にディスク上に欠陥が見つかり、そこにデータが記録できない場合には、あらかじめディスク上の別の部分に確保されている領域を交替領域として使用することにし、交替領域のアドレスを本来書こうとしていた領域のアドレスに振り替える。その振り替えた内容、すなわちアドレス変換内容をディスク装置はディスク上のＤＭＡに新たなＤＭＡ情報として記録する。本発明によるディスク装置は、この記録時に、集積回路素子３１にも同一のＤＭＡ情報を通信手段３０によって記録するようにする。
【００３０】
このように、本実施例のディスク装置が、ディスク上のＤＭＡにＤＭＡ情報を記録あるいは更新するときに、常に集積回路素子３１にも同一のＤＭＡ情報を記録することにより、ＤＭＡ情報の、異なった形態によるバックアップが可能となる。したがって、頻繁なディスク交換などによって、ディスクに汚れや傷などが付き、ディスク上のＤＭＡからＤＭＡ情報が読み出せなくなった場合にも、集積回路素子３１に保存されているＤＭＡ情報を元に、ディスク上に記録されていたユーザデータを読み出すことが可能となり、また、ディスクにデータを新たに記録したり、書き換えたりすることが可能となる。集積回路素子３１がなければ、そのディスクに関するＤＭＡ情報を参照できないことになり、それまでにディスクに記録されていたユーザのデータが利用不能になってしまう、という事態を本実施例の採用によって回避するすることができる。
【００３１】
以上の説明では、ＤＶＤ−ＲＡＭディスクのＤＭＡ情報を例として挙げていたが、ディスクの種類をこれに限る必要は無く、また、集積回路素子３１に記録する情報をＤＭＡ情報に限る必要もない。例えば、ＤＶＤ−Ｒディスクにおける、Recording Management Area（以下、ＲＭＡと称する）という管理領域に記録されている管理情報（以下、ＲＭＡ情報と称する）を集積回路素子３１に記録してもよい。ＲＭＡ情報は、一回追記型の書き込み型光ディスクに、データをディスク上のどこまで記録済みかなどの情報が含まれており、記録済みデータの再生やデータの追記に必要な情報である。ＲＭＡ情報が、集積回路素子３１にも記録されていれば、ディスク上のＲＭＡに記録されているＲＭＡ情報が読み出せなくなっても、そのディスクが利用不能となるのを防ぐことができる。
【００３２】
また、ＤＭＡ情報、ＲＭＡ情報等の、ディスクにデータを記録するのに必要な管理情報を書き込むタイミングについてであるが、ディスク上の管理領域にはデータ記録時と同時期に管理情報を書き込むが、集積回路素子３１にはデータ記録時と同時期でなくてもよく、例えば、ディスクの取り出し直前又は電源オフの直前等のような、ディスク装置がビジーでない適宜のタイミングで集積回路素子３１に管理情報を書き込めばよい。
【００３３】
以上説明したように、本発明のディスク装置に係る実施例の特徴は、ディスクに搭載された集積回路素子と非接触に情報のやりとりが可能な通信手段を備え、ディスク上の管理領域の情報と同一の内容を集積回路素子にも記録する。また、集積回路素子に記録された情報はディスク装置により読み出されて利用されることを可能とし、またその情報を書き換えることや新たに情報を記録できるものである。
【図面の簡単な説明】
【００３４】
【図１】画像又は音声等の情報を光学的に記録し又は再生するディスク装置における一般的な全体システムを示すブロック図である。
【図２】本発明のディスク装置に係る実施例の全体構成を示すブロック図である。
【符号の説明】
【００３５】
１  撮影手段
２  撮影光学系
３  撮像素子部
４  Ａ／Ｄ変換器
５  画像信号処理手段
６  記録再生信号処理手段
７  メモリ  
８  記録再生手段
９  ディスク状記録媒体
１０  光学ヘッド
１１  サーボ
１２  システム制御手段
１３  表示手段
１４  マイクロホン
１５  画像表示手段
３０  通信手段
３１  集積回路素子
【図１】
2005332469.tif 000003
【図２】
2005332469.tif 000004